(57)【要約】【課題】  ケージ扉の開け閉めによって餌や水の容器を出し入れするに際し、ペットの逃げを防止し且つ餌や水の交換作業の能率を向上する。【解決手段】  ケージ扉２の下方に設けた開口部３の中央に支柱４を形成し、該支柱４に左右一対の小扉６の中央に設けた軸管部分５を嵌め込んで当該支柱４を支点として左右一対の小扉６が互いに一体となって水平に回転可能とし、それぞれの小扉６の上縁にペット用容器Ｐの載せ台７を着脱自在に掛架可能として成るホルダー本体１を備える。ホルダー本体１の左右何れか一方の小扉６の一端には、開口部３の左右何れか一方の縁部に形成した被掛止部１３に掛架保持するよう掛止部１２を形成する。【選択図】          図２
2005087028.tif 000002
【特許請求の範囲】
【請求項１】
ケージ扉の下方に設けられた開口部の中央に支柱を形成し、該支柱に左右一対の小扉の中央に設けた軸管部分が嵌め込まれて当該支柱を支点として左右一対の小扉が互いに一体となって水平に回転可能とし、それぞれの小扉の上縁にペット用容器の載せ台を着脱自在に掛架可能として成るホルダー本体を備えたことを特徴とするペットケージ用食器ホルダー。
【請求項２】
ホルダー本体の左右何れか一方の小扉の一端に設けた掛止部と、掛止部を掛架保持させるよう開口部の左右何れか一方の縁部に形成した被掛止部とによる施錠機構を備えたものとした請求項１記載のペットケージ用食器ホルダー。
【請求項３】
ホルダー本体の左右一対の小扉は、ケージ扉の下方に設けられた横長な開口部に対応した横幅員を有して成る請求項１または２記載のペットケージ用食器ホルダー。
【発明の詳細な説明】
【技術分野】
【０００１】
本発明は、ケージ扉を閉めたままで餌や水の容器の出し入れができる回転式のペットケージ用食器ホルダーに関する。
【背景技術】
【０００２】
従来、ペットに与える餌や水の容器をペット病院等に設置するケージから出し入れする作業は、ケージ正面の扉全体を開け閉めするか、あるいは扉に小窓を設け、この小窓に設けられた小扉を開け閉めすることによって行われている。
【特許文献１】特になし
【発明の開示】
【発明が解決しようとする課題】
【０００３】
しかしながら、従来の前者における操作では、扉の開け閉めの際に、ペットが逃げる虞がある。しかも前者および後者とも作業が面倒であり、手間と時間が掛かる。特に、多数の餌や水等の容器の出し入れを個々に行わなければならず、作業性がきわめて悪い。また、餌や水の容器をケージ内の床に直接置くため、餌や水を床にこぼしたり、容器をひっくり返すことで、床を汚してしまい、そのときの掃除も面倒である等の問題点を有していた。
【０００４】
そこで、本発明は叙上のような従来存した諸事情に鑑み創出されたもので、ケージ扉の開け閉めによって餌や水の容器を出し入れするに際し、ペットの逃げを防止でき且つ餌や水の交換作業の能率を向上させることができ、しかも作業中に床を汚さずに多数の食器台をケージ内に設置することができるペットケージ用食器ホルダーを提供することを目的とする。
【課題を解決するための手段】
【０００５】
本発明にあっては、ケージ扉２の下方に設けられた開口部３の中央に支柱４を形成し、該支柱４に左右一対の小扉６の中央に設けた軸管部分５が嵌め込まれて当該支柱４を支点として左右一対の小扉６が互いに一体となって水平に回転可能とし、それぞれの小扉６の上縁にペット用容器Ｐの載せ台７を着脱自在に掛架可能として成るホルダー本体１を備えたことを特徴とする。
【０００６】
ホルダー本体１の左右何れか一方の小扉６の一端に設けた掛止部１２と、掛止部１２を掛架保持させるよう開口部３の左右何れか一方の縁部に形成した被掛止部１３とによる施錠機構１１を備えたものとすることができる。
ホルダー本体１の左右一対の小扉６は、ケージ扉２の下方に設けられた横長な開口部３に対応した横幅員を有して成るものとすることができる。
【０００７】
以上のように構成された本発明に係るペットケージ用食器ホルダーにあって、ホルダー本体１は、ケージ扉２の下方の開口部３中央の支柱４に、左右一対の小扉６中央に設けた軸管部分５が回転可能に嵌め込まれて成るため、当該支柱４を回転軸として左右一対の小扉６を互いに一体となって水平に回転させる。また、ケージ内に餌や水の容器を設置するに際し、支柱４を回転軸として小扉６を回転させ、当該小扉６の裏面側をケージ外側に露出させておいてから、小扉６の上縁にペット用容器Ｐの載せ台７を掛架させる。そして、支柱４を回転軸として小扉６を再度回転させ、載せ台７がケージ内に位置するよう当該小扉６の表面側をケージ外側に露出させた後、施錠機構１１により一方の小扉６の一端の掛止部１２を、開口部３の左右何れか一方の縁部に形成した被掛止部１３に掛架保持させる。
【発明の効果】
【０００８】
本発明は、以上のように構成されているために、ケージ扉２の開け閉めによって餌や水のペット用容器Ｐを出し入れするに際し、ペットの逃げを防止でき且つ餌や水の交換作業の能率を向上させることができ、しかも作業中に床を汚さずに多数のペット用容器Ｐの載せ台７をケージ内に設置することができる。
【０００９】
すなわち、これは、本発明が、ケージ扉２の下方に設けられた開口部３の中央の支柱４に左右一対の小扉６の中央に設けた軸管部分５が嵌め込まれて当該支柱４を支点として左右一対の小扉６が互いに一体となって水平に回転可能とし、それぞれの小扉６の上縁にペット用容器Ｐの載せ台７を着脱自在に掛架可能として成るホルダー本体１を備えたからであり、これにより、支柱４を回転軸として小扉６が回転するため、可動範囲が少なくて済み、したがって、ケージ扉２面のスペースが狭くても容易に設置することができる。また、多数個のペット用容器Ｐの載せ台７を並列状態とすることで効率良く設置することができる。
【００１０】
ホルダー本体１の左右何れか一方の小扉６の一端に設けた掛止部１２と、掛止部１２を掛架保持させるよう開口部３の左右何れか一方の縁部に形成した被掛止部１３とによる施錠機構１１を備えたので、小扉６の一端のみでの固定により支柱４の廻りの小扉６の回転を容易に阻止することができ、小扉６の不用意な回転を防止することができる。
【００１１】
また、ホルダー本体１の左右一対の小扉６は、ケージ扉２の下方に設けられた横長な開口部３に対応した横幅員を有して成るので、ケージ扉２の下方にペット用の扁平なペット用容器Ｐの載せ台７を出し入れできるスペースがあれば良く、ペットの逃げを容易に防止することができる。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下、本発明を実施する最良の形態を図面を参照して説明すると、図に示される符号１は、ケージ扉２を閉めたままで餌や水のペット用容器Ｐの出し入れができる回転式のペットケージ用食器ホルダーを構成するホルダー本体である。
【００１４】
ホルダー本体１は、図２、図３に示すように、ペット出し入れ用のケージ扉２の下方に、横長な開口部３を設け、この上枠部中央と下枠部中央とにかけて支柱４を連結してある。そして、この支柱４に軸管部分５を回転自在となるように嵌め込み、この軸管部分５の左右対称位置にはそれぞれ格子状の小扉６が連結されている。
【００１５】
このように左右一対の小扉６間に設けた軸管部分５が支柱４に回転自在に嵌挿されることで、当該支柱４を回転軸（支点）として左右一対の小扉６が互いに一体となって所謂回転扉の如く水平に回転可能と成るようにしてある。そして、左右それぞれの小扉６の上縁には、ペット用容器Ｐの載せ台７の一端を略逆Ｕ字形に折曲して成る掛架部７Ａを掛止して保持させるものとしてある。
【００１６】
ホルダー本体１の左右一対の小扉６は、ケージ扉２の下方に設けられた横長な開口部３に対応した横幅員を有することで、ペットを出し入れするケージ扉２の下方にペット用の扁平な容器を容易に出し入れできるスペースが確保されるようにしてある。
【００１７】
尚、本形態では、ホルダー本体１の小扉６は、格子状に形成してあるが、この他に例えば板材等を使用することもできる。また、ペット用容器Ｐの載せ台７は、その深さを小扉６の縦寸法よりも小さくし、載せ台７自体がケージ内の床面から上方に浮いた状態で小扉６に保持されるようにしてある。また、載せ台７はペットを傷付けないように、角を取って丸く形成するのが好ましい。
【００１８】
さらに、図２、図３に示すように、ホルダー本体１の左右何れか一方の小扉６の一端には、回転可能なフック鈎状の掛止部１２を設け、この掛止部１２を掛架保持させるよう開口部３の左右何れか一方の縁部には上向き舌片状の被掛止部１３が形成されることで施錠機構１１を構成してある。尚、この施錠機構１１は、上記以外の部材で構成することもできる。
【００１９】
次に以上のように構成された最良の形態についての使用の一例を説明するに、図２（ａ）に示すように、ケージ内に餌や水の容器を設置するに際し、支柱４を回転軸（支点）として左右一対の小扉６を一体回転させて当該小扉６の裏面側をケージ外側に露出させておく。
【００２０】
次に、左右それぞれの小扉６の上縁に、ペット用容器Ｐを載せた載せ台７の一端の掛架部７Ａを掛止して保持させる。このとき載せ台７自体はケージ内の床面から上方に浮いた状態で小扉６に保持される。
【００２１】
そして、図２（ｂ）に示したように、支柱４を回転軸（支点）として小扉６を再度回転させ、載せ台７がケージ内に位置するよう当該小扉６の表面側をケージ外側に露出させた後、施錠機構１１により一方の小扉６の一端の掛止部１２を、開口部３の左右何れか一方の縁部に形成した被掛止部１３に掛架保持させれば良い。尚、ケージ内から餌や水のペット用容器Ｐを入れた載せ台７取り出す場合には、上記した操作を逆に行えばよい。
【図面の簡単な説明】
【００２２】
【図１】本発明を実施するための最良の形態における施錠状態の斜視図である。
【図２】同じくホルダー本体の使用状態を示し、（ａ）は小扉の裏面側をケージ外側に露出させて、小扉の上縁にペット用容器の載せ台を掛架させる状態を示す一部切欠斜視図、（ｂ）は載せ台がケージ内に位置するよう当該小扉の表面側をケージ外側に露出させて、施錠機構によって小扉の一端を固定した状態の一部切欠斜視図である。
【図３】同じくホルダー本体の小扉の裏面側をケージ外側に露出させている状態を示し、（ａ）は正面図、（ｂ）は平面図である。
【符号の説明】
【００２３】
Ｐ    ペット用容器
１    ホルダー本体
２    ケージ扉
３    開口部
４    支柱
５    軸管部分
６    小扉
７    載せ台
７Ａ  掛架部
１１  施錠機構
１２  掛止部
１３  被掛止部
【図１】
2005087028.tif 000003
【図２】
2005087028.tif 000004
【図３】
2005087028.tif 000005